(57)【特許請求の範囲】
【請求項１】
光反射領域と光透過領域とを有するサブ画素がマトリクス状に配列された表示領域を備えたノーマリーブラックモードの液晶表示装置において、
前記サブ画素は、
対向する第１の基板及び第２の基板に挟持される液晶層と、
前記第１の基板の前記液晶層との界面、及び前記第２の基板の前記液晶層との界面に設けられる配向膜と、
当該サブ画素が当該液晶表示装置の非駆動時に前記表示領域に表示させておきたい模様に対応するとき、前記光反射領域の前記配向膜の下または表面に形成される突起と、
を有し、
当該液晶表示装置の駆動時は、バックライトから前記光透過領域を介して出射した光によって前記表示領域に任意の画像が表示され、当該液晶表示装置の非駆動時は、前記光反射領域を介して出射した外光の反射光によって前記表示領域に前記模様が表示される、
液晶表示装置。
【請求項２】
前記模様に対応する前記サブ画素の前記光反射領域には、複数個の前記突起が分散して配置される、請求項１に記載の液晶表示装置。
【請求項３】
前記模様に対応する前記サブ画素の光反射領域のカラーフィルタ層を除去した、請求項１に記載の液晶表示装置。
【請求項４】
垂直配向モード又は横方向電界モードで駆動される、請求項１〜３のいずれかに記載の液晶表示装置。
【請求項５】
請求項１〜４のいずれかに記載の液晶表示装置を備えた電子機器。
【発明の詳細な説明】
【技術分野】
【０００１】
本発明は、液晶表示装置及びこの液晶表示装置を備えた電子機器に関し、特に電源オフ
状態において所定の文字やロゴ等を表示できるようにした液晶表示装置及びこの液晶表示
装置を備えた電子機器に関する。
【背景技術】
【０００２】
液晶表示装置として、透過型と反射型の性質を併せ持つ半透過型液晶表示装置の開発が
多く進められてきている（下記特許文献１参照）。この半透過型液晶表示装置は、一つの
画素領域内に画素電極を備えた光透過領域と画素電極及び反射板の両方を備えた光反射領
域を有している。そして、暗い場所においてはバックライトを点灯して光透過領域を利用
して画像を表示し、明るい場所においてはバックライトを点灯することなく光反射領域に
おいて外光を利用して画像を表示するものである。そのため、半透過型液晶表示装置は、
常時バックライトを点灯する必要がなくなるので、消費電力を大幅に低減させることがで
きるという利点を有している。この半透過型液晶表示装置は、携帯電話など、特に中小型
の電子機器の表示部として広く用いられている。
【０００３】
一方、近年では、電子機器のデザイン性の向上が多く求められているため、例えば携帯
電話において、待ち受け画面等に任意の画像を表示するだけではなく、メーカーロゴや特
定の模様など、多種多様な画像が表示されている。
【特許文献１】特開平１１−１０１９９２号公報
【発明の開示】
【発明が解決しようとする課題】
【０００４】
液晶表示装置の表示部に画像を表示する際には、電源がオンの状態で液晶表示装置を
駆動して表示する必要がある。しかしながら、従来の液晶表示装置では、電源をオフにし
たときには何も表示されない状態になってしまうため、電源オフ時には画像を表示するこ
とができない。従って、待ち受け画面等を長時間表示するには特定の画素を長時間駆動し
続ける必要があるため、その分だけ消費電力が多くなってしまう。このように待ち受け画
面等を長時間表示する場合、半透過型の液晶表示装置であればバックライトを点灯せずに
反射型として駆動すればよいが、それでも表示時間が長くなればなるほどそれに比例して
消費電力は大きくなる。このような消費電力の増大は、携帯電話機等の小型の電子機器に
とっては重大な問題となる。
【０００５】
近年、電源オフ時にもこのような画像を表示しておくことができるようにし、表示部を
含めた機器全体のデザイン性を高めようとする提案がなされている。そのためには、液晶
表示装置の電源オフ時にも何等かの画像を表示できるようにする必要がある。しかしなが
ら、従来は、電源オン時に実質的に正常な画像表示ができ、電源オフ時に何等かの画像を
表示できるような液晶表示装置は知られていなかった。
【０００６】
以上のような事情に鑑み、本発明の目的は、電源をオフした状態においても、社名のよ
うな識別用の記号等を含む所定の模様を表示することができる、幅広い表現力を備えた表
示特性の高い液晶表示装置及びこの液晶表示装置を備えた電子機器を提供することにある
。
【課題を解決するための手段】
【０００７】
上記目的を達成するため、本発明に係る液晶表示装置は、光反射領域と光透過領域とを有するサブ画素がマトリクス状に配列された表示領域を備えたノーマリーブラックモードの液晶表示装置において、サブ画素は、対向する第１の基板及び第２の基板に挟持される液晶層と、第１の基板の液晶層との界面、及び第２の基板の液晶層との界面に設けられる配向膜と、当該サブ画素が当該液晶表示装置の非駆動時に表示領域に表示させておきたい模様に対応するとき、光反射領域の配向膜の下または表面に形成される突起と、を有し、当該液晶表示装置の駆動時は、バックライトから光透過領域を介して出射した光によって表示領域に任意の画像が表示され、当該液晶表示装置の非駆動時は、光反射領域を介して出射した外光の反射光によって表示領域に模様が表示される。
【０００８】
ノーマリーブラックモードの液晶表示装置は、液晶の駆動用電極間に電界が印加されて
いない非駆動状態では、液晶分子は配向膜によって規制されている方向に配向しており、
光を透過しないために黒表示となる。しかし、液晶の駆動用電極間に電界が印加されてい
る駆動状態では、液晶分子が電界によって動かされるので、光を透過するようになる。し
かし、サブ画素の光反射領域に液晶分子の配向を乱すための構成が形成されていると、こ
の部分で液晶分子の配向が乱れるため、液晶の駆動用電極間に電界が印加されていない非
駆動状態でもある程度光を透過するようになる。
【０００９】
従って、本発明の液晶表示装置は、ノーマリーブラックモードの液晶表示装置において
、光反射領域に液晶分子の配向を乱すための構成を形成したため、この配向を乱すための
構成が形成された光反射領域は非駆動状態であっても光漏れが生じる。そのため、液晶表
示装置が非駆動状態であっても、外光からの入射光が出射する際に識別パターンなどの模
様に応じた色層の色を有する出射光となって出射することになるので、識別パターンなど
の模様を表示させておくことが可能となる。また、液晶表示装置が駆動状態では光透過領
域を利用して良好な画像表示を行うことができる。従って、本発明の液晶表示装置は幅広
い表現力を備えた表示特性の高い液晶表示装置となる。
【００１１】
また、突起が配向膜の表面に形成されるので、非駆動状態において突起の近傍の液晶分子はランダムな方向を向くが、突起から離れた位置の液晶分子は配向膜によって規制される特定の方向に配向している。従って、突起近傍の液晶分子の配向方向は突起から離れた位置の液晶分子の配向方向とは異なっている。そのため、突起を光反射領域の配向膜の下又は表面に形成することにより、突起が形成された光反射領域に光漏れを生じさせることができるようになる。なお、この突起は液晶表示装置を構成する一対の基板のうちのどちら側に形成しても同様の効果を奏する。また、この突起は、同一サブ画素の光反射領域に複数個形成した方が光漏れが多くなるために好ましい。
【００１６】
また、本発明に係る液晶表示装置は、垂直配向ＶＡ（Vertically Aligned）モード又は横方向電界モードで駆動されるものとすることが好ましい。
【００１７】
これらのＶＡモード又は横方向電界モードで駆動される液晶表示装置は、ノーマリーブ
ラックモードの液晶表示装置であるだけでなく、広視野角でコントラストが良好であると
いう特徴を有しているため、上記本発明の効果を奏しながらも広視野角でコントラストが
良好な液晶表示装置となる。なお、横方向電界モードで駆動される液晶表示装置としては
、ＩＰＳ（In-Plane Switching）モードないしＦＦＳ（Fringe Field Switching）モード
のものを使用し得る。
【００１８】
更に、上記目的を達成するため、本発明に係る電子機器は、上記いずれかに記載の液晶表示装置を備える。
【００１９】
本発明に係る電子機器によれば、幅広い表現力を備え、コントラストが良好なノーマリーブラックモードの液晶表示装置を備えた電子機器が得られる。
【発明を実施するための最良の形態】
【００２０】
以下、図面を参照して本発明の最良の実施形態を説明する。但し、以下に示す実施形態
は、本発明の技術思想を具体化するための液晶表示装置としてＶＡモードの液晶表示装置
を例示するものであって、本発明をこのＶＡモードの液晶表示装置に特定することを意図
するものではなく、特許請求の範囲に含まれるその他の実施形態のものにも等しく適応し
得るものである。なお、この明細書における説明のために用いられた各図面においては、
各層や各部材を図面上で認識可能な程度の大きさとするため、各層や各部材毎に縮尺を異
ならせて表示しており、必ずしも実際の寸法に比例して表示されているものではない。
【００２１】
なお、図１は液晶表示装置の全体構成を示す図である。図２は図１のII−II線に沿った
模式断面図である。図３は第１実施形態に係る表示させておきたい模様に対応する位置の
１サブ画素分の模式断面図である。図４は第１実施形態の液晶表示装置の非駆動時の表示
状態を示す平面図である。図５は第２の実施形態に係る表示させておきたい模様に対応す
る位置の１サブ画素分の模式断面図である。図６Ａは本発明の液晶表示装置を搭載したパ
ーソナルコンピュータを示す図であり、図６Ｂは本発明の液晶表示装置を搭載した携帯電
話機を示す図である。
【００２２】
最初に第１及び第２実施形態に共通するスイッチング素子として薄膜トランジスタ（Th
in Film Transistor：以下「ＴＦＴ」という）素子を用いたアクティブマトリクス方式の
ＶＡモードの半透過反射型液晶表示装置を例に挙げて説明する。図１に示すように、液晶
表示装置１は、液晶パネル２と、バックライト３とを主体として構成されている。そして
、液晶パネル２とバックライト３とは平面視で重なるように配置されており、図１では液
晶パネル２のみが示されている。
【００２３】
この液晶パネル２は、いわゆる半透過型とよばれている液晶パネルである。この液晶パ
ネル２は、ＴＦＴアレイ基板（第１基板）４とカラーフィルタ基板（第２基板）５とがシ
ール材７によって貼り合わされると共に、このシール材７によって区画された領域内に液
晶層６が封入された構成になっている。シール材７の一部には液晶を注入する注入口７ａ
が設けられており、この注入口７ａは封止材７ｂにより封止されている。シール材７の内
側の領域には、遮光性材料からなる遮光膜（周辺見切り）８が設けられている。周辺見切
り８の内側の領域は、画像や動画等を表示する表示領域９になっている。また、表示領域
９には、複数のサブ画素１０がマトリクス状に設けられている。複数のサブ画素１０の間
の領域は画素間領域１１である。
【００２４】
ＴＦＴアレイ基板４の周縁部は、カラーフィルタ基板５から張り出した張出領域になっ
ている。この張出領域のうち図中左辺側及び右辺側には、走査信号を生成する走査線駆動
回路１２が形成されている。図１の上辺側には、左右の走査線駆動回路１２の間を接続す
る配線１４が引き回されている。図１の中央下辺側には、データ信号を生成するデータ線
駆動回路１３と、外部の回路等に接続するための接続端子１５とが形成されている。走査
線駆動回路１２と外部の回路等に接続するための接続端子との間の領域には、両者を接続
する配線１６が形成されている。また、カラーフィルタ基板５の各角部には、ＴＦＴアレ
イ基板４とカラーフィルタ基板５との間で電気的に接続するための基板間導通材１７が設
けられている。
【００２５】
ＴＦＴアレイ基板４は、図２に示したように、例えばガラスや石英等の透光性の高い材
料から形成された基材４ａと、この基材４ａの液晶側に形成された画素電極４８と、この
画素電極４８に電気信号を供給するスイッチング素子４７と、光反射層４５と、画素電極
４８、スイッチング素子４７及びこの光反射層４５を覆うように形成された配向膜４６と
、基材４ａの外側（液晶層６とは反対側）に貼付された偏光板４９とを主体として構成さ
れている。なお、基材４ａと画素電極４８との間に層間膜を形成する場合もある。
【００２６】
画素電極４８は、サブ画素１０に平面視で重なる領域に配置されており、例えばＩＴＯ
（Indium Tin Oxide）等の透明な導電材料によって形成されている。スイッチング素子４
７は、画素間領域１１内に配置されており、画素電極４８に一対一で対応するように設け
られている。このようにサブ画素１０ごとに独立して液晶層６の配向を規制することが可
能になっている。このスイッチング素子４７は、例えばＴＦＴからなる素子であり、図示
しない走査線やデータ線に接続されている。配向膜４６は、液晶層６との界面に設けられ
ており、液晶層６を構成する液晶分子の配向を規制する。
【００２７】
光反射層４５は、例えばアルミニウムなどからなる金属層であり、光をカラーフィルタ
基板５側へ反射するようになっている。この光反射層４５は、画素電極４８の液晶層６側
に形成されており、平面視でサブ画素１０内の領域に任意の割合で設けられるが、図２に
おいては平面視でサブ画素１０内のほぼ半分を占める領域に設けられている。そしてこの
領域が光反射領域１０ｂになっている。光反射層４５が設けられない領域は、バックライ
ト３からの光を液晶層６及びカラーフィルタ基板５へと透過する光透過領域１０ａになっ
ている。光反射層４５の表面（液晶層６側の面）は反射面になっており、この反射面には
凹凸のパターンが形成されている。なお、各光反射層４５の厚さは一定になっている。ま
た、ここでは光反射層４５を画素電極４８の表面に形成した例を示したが、光反射層４５
を画素電極４８の下に形成してもよい。
【００２８】
一方、カラーフィルタ基板５は、基材５ａと、カラーフィルタ層５０と、遮光膜５１と
、共通電極５８と、配向膜５６とを主体として構成されている。カラーフィルタ基板５の
基材５ａは、ＴＦＴアレイ基板４の基材４ａと同様に、例えばガラスや石英等の透光性の
高い材料から形成された矩形の板状部材である。カラーフィルタ層５０は、基材５ａの液
晶層６側に平面視でサブ画素１０に重なるように設けられた色層である。このカラーフィ
ルタ層５０は、例えば赤色層５０Ｒ、緑色層５０Ｇ、青色層５０Ｂの３色の色層からなる
。
【００２９】
１つのサブ画素１０には３色のうち１色のカラーフィルタ層５０が設けられており、赤
色層５０Ｒ、緑色層５０Ｇ、青色層５０Ｂは各々隣接する列に配置されている。互いに隣
接し異なる色層のカラーフィルタ層５０を有する３つのサブ画素１０が１組になって、１
画素（１ピクセル）を構成している。遮光膜５１は、光を反射又は吸収可能な材料からな
る遮光部材であり、カラーフィルタ層５０の周囲に設けられている。
【００３０】
共通電極５８は、例えばＩＴＯなどの透明な導電材料によって形成された電極であり、
カラーフィルタ層５０及び遮光膜５１を覆うように設けられている。共通電極５８のうち
、上記の光反射層４５に平面視で重なる領域では、下層に絶縁膜の透明層５８ａを形成し
他の領域に比べてＴＦＴアレイ基板４側に近くなるように形成されている。この結果、光
反射層４５の設けられた領域における液晶層６のギャップｔ２が、他の領域における液晶
層６のギャップｔ１に比べて小さくなっている。配向膜５６は、液晶層６との界面に設け
られており、配向膜４６との間で液晶層６を構成する液晶分子の配向を規制している。
【００３１】
液晶層６は、例えばフッ素系液晶化合物や非フッ素系液晶化合物等の液晶分子によって
構成されており、ＴＦＴアレイ基板４側の配向膜４６とカラーフィルタ基板５側の配向膜
５６との双方に接するように両基板に挟持されている。液晶分子の配向は、電圧を印加し
ない非駆動時に光を遮光する（ノーマリーブラックモード）ように、配向膜４６及び配向
膜５６によって規制されている。ここでは、この配向膜４６及び配向膜５６には垂直配向
膜が使用されており、液晶化合物としては誘電異方性が負のものが使用されている。
【００３２】
［第１の実施形態］
ここで、第１の実施形態における表示させておきたい模様に対応する位置の１サブ画素
分の具体的構成を図３を用いて説明する。この第１の実施形態では、光反射領域１０ｂの
光反射層４５と配向膜４６との間に液晶分子の配向を乱す構造物として例えばポリイミド
等からなる突起８０を形成したものである。配向膜４６及び５６は垂直配向膜であるから
、液晶表示装置１が非駆動状態にあるとき、液晶分子は配向膜４６及び５６の表面に対し
て垂直に配向する。
【００３３】
そうすると、突起８０から離れた位置の液晶分子は、ＴＦＴアレイ基板４に対して垂直
に配向されるが、突起８０の近傍の液晶分子は配向膜４６に対して垂直に配向するため、
ＴＦＴアレイ基板４から見ると傾いて配向されていることになる。従って、液晶表示装置
１が非駆動状態にあるとき、光透過領域１０ａ及び突起８０が形成されていない光反射領
域１０ｂは光を透過させないために黒表示になるが、突起８０が形成された光反射領域１
０ｂは外部からの入射光の一部が透過して光反射層４５によって反射されて外部に漏れて
くる。そのため、表示領域に表示させておきたい模様に対応するサブ画素の光反射領域１
０ｂに突起８０を形成することにより、液晶表示装置１の非駆動状態時に所定模様を表示
させることができるようになる。なお、この突起８０は、光漏れを多くするため、複数個
を表示領域に表示させておきたい模様に対応するサブ画素の光反射領域１０ｂの全面に亘
って分散されているように形成するとよい。
【００３４】
このように構成された液晶表示装置１の電源オフ時の表示領域９の状態の一例を図４に
示す。図４は液晶表示装置１の電源をオフした状態、つまりＴＦＴアレイ基板４とカラー
フィルタ基板５との間液晶層６に電圧が印加されていない非駆動状態での表示領域９であ
る。液晶表示装置１の使用者が表示領域９を観察すると背景パターン６０に対して予め形
成された任意の識別パターンを観察することとができるようになる。第１の実施形態にお
いては図４に示すように識別パターン７０としてＡＢＣＤＥからなる記号を表示させてい
る。
【００３５】
つまり通常、液晶表示装置１の非駆動時には、バックライト３から光透過領域１０ａを
透過してくる光もなく、光反射領域１０ｂにおいて光反射層４５によって反射される外光
による光が観察者によって観察されるだけである。このとき識別パターン７０に対応した
サブ画素１０の光反射領域１０ｂに突起８０を形成しておけば、この突起８０が形成され
た光反射領域１０ｂからの反射光が観察者により観察されるので、背景パターン６０に識
別パターン７０が浮かび上がって観察されることになる。
【００３６】
したがって、光透過領域１０ａと光反射領域１０ｂを有するサブ画素を備えた液晶表示
装置であって、液晶表示装置１の電源オフ時に表示させておきたい識別パターンに応じた
突起８０を光反射領域１０ｂに形成しておくことで、液晶表示装置１が非駆動状態であっ
ても、外光からなる入射光が出射する際に識別パターンに応じた出射光となって出射する
ことになるので、識別パターン７０を表示させておくことが可能となる。
【００３７】
なお、この突起８０を特定の色のカラーフィルタ層が形成されているサブ画素の光反射
領域１０ｂに形成すると、その特定の色の漏れ光を生じる。従って、１ピクセル内で突起
が形成されているサブ画素を適宜選択することにより、所望の色の漏れ光を生じさせるこ
とができる。更には、突起８０が形成されているサブ画素の光反射領域１０ｂのカラーフ
ィルタ層を除去すると、無彩色の漏れ光を生じさせることができ、模様を白黒で表示させ
ることも可能となる。
【００３８】
また、液晶表示装置の電源をオンした場合には、バックライト３から光透過領域１０ａ
を介して出射した光によって通常の動画や静止画などの様々な表示が可能となる。このと
き外光による光反射領域１０ｂを介して出射される光は、光透過領域１０ａを介して出射
される光に比べると、非常に弱いので、識別マークが使用者に観察されることはほとんど
ない。
【００３９】
なお、第１の実施形態においては識別パターン７０としてアルファベットを表示した例
を示したが、このようなアルファベットなどの文字に限定されるものではない。本発明に
よれば文字だけでなく、企業のロゴマーク、花柄、市松模様などを含む多様な模様につい
て、液晶表示装置の電源をオフした状態で、使用者に観察させることが可能となる。この
ように本発明における液晶表示装置１では、電源オフ時に任意の識別パターン７０を表示
させておくことができるので、消費電力を大きく低減させることができるようになる。
【００４０】
なお、第１の実施形態においては、突起８０を光反射層４５と配向膜４６との間に形成
した例を示したが、突起８０を配向膜４６の表面に形成してもよい。この場合、突起８０
の表面には配向膜が存在しないため、突起８０の近傍の液晶分子はランダムな方向を向く
。従って、液晶表示装置１の非駆動時に、突起８０の近傍では光が透過するようになるの
で、突起８０が形成された光反射領域１０ｂでは、外部からの入射光の一部が透過して光
反射層４５によって反射されて外部に漏れてくる。そのため、液晶表示装置１においては
、任意の識別パターン７０を液晶層６に電圧を印加することなく表示させておくことがで
きるようになる。
【００４１】
また、第１の実施形態においては、突起８０をＴＦＴアレイ基板４側に形成した例を示
したが、突起をカラーフィルタ基板５の光反射領域１０ｂに形成してもよい。この場合に
おいても、突起は、配向膜５６の表面に形成しても、或いは配向膜５６と共通電極５８の
間に形成することができ、この突起を設けたことによる光漏れが生じる原理は第１の実施
形態の場合と同様である。
【００４２】
［第２の実施形態］
第１の実施形態では、光反射領域に液晶分子の配向を乱すための構成として突起を形成
した例を示したが、光反射領域に配向膜の不存在領域を形成することによっても光反射領
域の液晶分子の配向を乱すことができる。このような、光反射領域に配向膜の不存在領域
を形成した第２の実施形態における表示させておきたい模様に対応する位置の１サブ画素
分の具体的構成を図５を用いて説明する。
【００４３】
上述したように、通常の表示領域では、電圧を印加しない非駆動時に光を遮光する（ノ
ーマリーブラックモード）ように、ＴＦＴアレイ基板４及びカラーフィルタ基板５のそれ
ぞれの対向面は垂直配向膜からなる配向膜４６及び配向膜５６によって被覆されている（
図２参照）。この第２の実施形態では、表示させておきたい模様に対応する位置の光反射
領域１０ｂの光反射層４５の表面に形成されている配向膜４６の少なくとも一部を除去し
、配向膜不存在部分４６ａを形成したものである。
【００４４】
そうすると、配向膜不存在部分４６ａから離れた位置の液晶分子はＴＦＴアレイ基板４
に対して垂直に配向されるが、配向膜不存在部分４６ａの液晶分子はランダムな方向に向
いている。従って、液晶表示装置１が非駆動状態にあるとき、光透過領域１０ａ及び配向
膜４６が形成されている光反射領域１０ｂは光を透過させないために黒表示になるが、配
向膜不存在部分４６ａが形成された光反射領域１０ｂでは外部からの入射光の一部が透過
して光反射層４５によって反射されて外部に漏れてくる。そのため、表示領域に表示させ
ておきたい模様に対応するサブ画素の光反射領域１０ｂの一部もしくは全面に配向膜不存
在部分４６ａを形成することにより、液晶表示装置１の非駆動状態時に所定模様を表示さ
せることができるようになる。
【００４５】
この場合も、配向膜不存在部分４６ａをＴＦＴアレイ基板４側に形成した例を示したが
、配向膜不存在部分４６ａをカラーフィルタ基板５の光反射領域１０ｂに形成してもよい
。この場合においても、この配向膜不存在部分４６ａを設けたことによる光漏れが生じる
原理は、配向膜不存在部分４６ａをＴＦＴアレイ基板４側に形成した場合と同様である。
【００４６】
なお、第１及び第２の実施形態としてはＶＡモードのものについて説明したが、本発明
はノーマリーブラックモードの半透過型の液晶表示装置であれば等しく適用可能である。
このようなノーマリーブラックモードの他の半透過型液晶表示装置としては、例えばＩＰ
ＳモードないしＦＦＳモード等の横方向電界モードの半透過型の液晶表示装置があげられ
る。
【００４７】
以上、本発明の実施形態として半透過型の液晶表示装置の例を説明した。このような本
発明の半透過型の液晶表示装置は、パーソナルコンピュータ、携帯電話機、携帯情報端末
などの電子機器に使用することができる。このうち、半透過型の液晶表示装置７１をパー
ソナルコンピュータ７０に使用した例を図６Ａに、同じく半透過型の液晶表示装置７６を
携帯電話機７５に使用した例を図６Ｂに示す。ただし、これらのパーソナルコンピュータ
７０及び携帯電話機７５の基本的構成は当業者に周知であるので、詳細な説明は省略する
【図面の簡単な説明】
【００４８】
【図１】液晶表示装置の全体構成を示す図である。
【図２】図１のII−II線に沿った模式断面図である。
【図３】第１実施形態に係る表示させておきたい模様に対応する位置の１サブ画素分の模式断面図である。
【図４】第１実施形態の液晶表示装置の非駆動時の表示状態を示す平面図である。
【図５】第２の実施形態に係る表示させておきたい模様に対応する位置の１サブ画素分の模式断面図である。
【図６】図６Ａは本発明の液晶表示装置を搭載したパーソナルコンピュータを示す図であり、図６Ｂは本発明の液晶表示装置を搭載した携帯電話機を示す図である。
【符号の説明】
【００４９】
１…液晶表示装置  ２…液晶パネル  ３…バックライト  ４…ＴＦＴアレイ基板  ５…
カラーフィルタ基板  ６…液晶層  ９…表示領域１０…サブ画素  １０ａ…光透過領域  
１０ｂ…光反射領域  ４５…光反射層  ４６…配向膜  ５０…カラーフィルタ層  ５０Ｒ
…赤色層  ５０Ｇ…緑色層  ５０Ｂ…青色層  ６０…背景パターン  ７０…識別パターン
８０：突起
【図１】
0005154181.tif 000002
【図２】
0005154181.tif 000003
【図３】
0005154181.tif 000004
【図４】
0005154181.tif 000005
【図５】
0005154181.tif 000006
【図６】
0005154181.tif 000007